(57)【要約】      （修正有）【課題】畔について行われる作業の際に障害になりにくい畔保護部材を提供する。【解決手段】第１縁１３と対向する第２縁１５とを有し、畔に埋め込まれる波板１０と、波板１０の第１縁１３を保持し、かつ、第１縁１３に沿って設けられる、波板１０に着脱自在なあて木２０と、を備える畔保護部材１であって、波板１０の第１縁１３が差し込まれるガイド溝２７を備え、ガイド溝２７に第１縁１３が差し込まれることで、波板１０があて木２０に保持される。【選択図】図１
0003223873.tif 000002
【実用新案登録請求の範囲】
【請求項１】
第１縁（１３）と前記第１縁（１３）と対向する第２縁（１５）を有し、畔に埋め込まれる波板（１０）と、
前記波板（１０）の前記第１縁（１３）を保持し、かつ、前記波板（１０）に着脱自在なあて木（２０）と、
を備えることを特徴とする畔保護部材（１）。
【請求項２】
前記波板（１０）の前記第１縁（１３）が差し込まれるガイド溝（２７）を備え、
前記ガイド溝（２７）に前記第１縁（１３）が差し込まれることで、前記波板（１０）が前記あて木（２０）に保持される、
請求項１に記載の畔保護部材（１）。
【考案の詳細な説明】
【技術分野】
【０００１】
本考案は畔を保護する部材に関し、特にモグラ、ザリガニなどの生物により畔に孔があけられるのを防ぐことのできる部材に関する。
【背景技術】
【０００２】
田や畑の畦は、これらの区画に沿って設けられており、台形状に土を盛り上げて形成されている。機械等の搬入時や作業時には畦を通行することが多い。また、特に田の畦は、稲の苗を植え付けたり除草剤を散布して除草したりする際に、張られている用水を一定水位に保ったり、これによって除草剤を一定濃度に保ったりするという役割を担っている。田から用水がなくなると事前に散布した肥料や除草剤の効果が弱くなり、地盤が露出すると光合成により雑草が速やかに生えてくる。これに対応するために、余分な薬剤を散布したり除草作業をしたりする必要があり、栽培方法にも影響が出てしまい、収益性を悪化させるおそれがある。
【０００３】
しかし、畦は土で形成されているが故に、モグラやザリガニ等によって孔があけられる。この孔が田の内部と外部を貫通すると、水漏れが生じ、用水を一定水位に保つ等の機能が失われて十分な育苗ができなくなる。例えば、モグラの孔によって、数時間のうちに田から用水がなくなることもある。
【０００４】
そこで特許文献１は、畦の一側壁を覆う立壁部と、立壁部の背面の上下方向略中間部から延設され、畦に埋め込まれるアンカー部と、を備える畦保護ブロックを提案する。
【先行技術文献】
【特許文献】
【０００５】
【特許文献１】特開２００９−２０２５号公報
【考案の概要】
【考案が解決しようとする課題】
【０００６】
特許文献１の畔保護ブロックによれば、汎用性が高く、杭を打ち込まなくても畦に設置できて耐久性に優れ、かつコンクリート打設と比較して施工が簡単である。
しかし、特許文献１の畔保護ブロックにおいては、立壁部が畔の側壁に沿って設けられるので、立壁部２が外部に露出する。したがって、畔について行われる作業、例えば草刈りをする際に畔保護ブロックが障害となる。
そこで本考案は、畔について行われる作業の際に障害になりにくい畔保護部材を提供することを目的とする。
【課題を解決するための手段】
【０００７】
本考案に係る畔保護部材（１）は、波板（１０）とあて木（２０）を備える。
波板（１０）は、第１縁（１３）と第１縁（１３）と対向する第２縁（１５）を有し、畔に埋め込まれる。
あて木（２０）は、波板（１０）の第１縁（１３）を保持し、かつ、波板（１０）に着脱自在である。
【０００８】
本考案において、好ましくは、波板（１０）の第１縁（１３）が差し込まれるガイド溝（２７）を備える。この波板（１０）は、ガイド溝（２７）に第１縁（１３）が差し込まれることで、あて木（２０）に保持される、
【考案の効果】
【０００９】
波板とあて木を備える本考案に係る畔保護部材は、あて木を例えば木槌でたたくことで、波板を畔の内部に埋め込むことができる。しかも、波板の部分を畔の内部に埋設した後に、あて木を取り除けば、畔について行われる作業の障害にはなりにくい。
【図面の簡単な説明】
【００１０】
【図１】本考案に係る畔保護部材の構成要素と畔保護部材を畔に埋設する道具を並べて示す図である。
【図２】本考案に係る畔保護部材を構成するあて木を示す図である。
【図３】本考案に係る畔保護部材を畔に埋設する手順を示す図である。
【図４】図３に続いて、本考案に係る畔保護部材を畔に埋設する手順を示す図である。
【図５】図４に続いて、本考案に係る畔保護部材を畔に埋設する手順を示す図である。
【図６】図５に続いて、本考案に係る畔保護部材を畔に埋設する手順を示す図である。
【考案を実施するための形態】
【００１１】
本考案に係る畔保護部材を実施形態に基づいて説明する。この実施形態は本考案の中の一例に過ぎない。
【００１２】
[畔保護部材の構成要素]
畔保護部材１は、図１に示すように、波板１０と、波板１０を保持する第１あて木２０と、第１あて木２０に代わって用いられる第２あて木３０と、を構成要素として備える。第１あて木２０は波板１０を畔に埋め込む作業の途中まで用いられ、第２あて木３０は途中から波板１０が畔の内部に埋め込まれるまで用いられる。
畔保護部材１は、畔に埋め込まれる際に、第１あて木２０または第２あて木３０に第１木槌４０または第２木槌５０が打ち付けられる。第２木槌５０は第１木槌４０よりも大きく重い。
【００１３】
[畔保護部材の各要素]
畔保護部材１の主たる要素である波板１０は、畔の内部に埋め込まれ、例えばモグラが孔を掘って田の中にモグラが進入するのを阻止するか、モグラにより掘られた孔を塞ぐ。
波板１０の形状は任意であるが、典型的には平面視した形状が矩形を有し、第１縁１３と、第１縁１３に対向する第２縁１５とを備える。ただし、波板１０は、波が形成されている向きと直交する向きには高い弾性を有しているので、楕円形、多角形といった種々の形状に曲げて畔に埋め込むこともできる。
波板１０における波型の形状は典型的には正弦波であるが、矩形波、三角波、鋸歯状波などの他の波型の波板１０を用いることもできる。
また、波板１０の寸法も任意であり、例えばモグラが孔を掘る深さ、形状などに対応するために、幅および長さが異なる複数種類の波板１０を用意しておくことが好ましい。
【００１４】
また、波板１０の材質について、金属材料、樹脂材料を広く適用できる。しかし、雨、雪などの自然環境に対する耐性、および、モグラ、ネズミの攻撃に対する耐性を考慮すると、金属材料、例えばガルバリウム鋼板（日本製鉄株式会社  登録商標第1896491号）を用いることが好ましい。ガルバリウム鋼板とは、アルミニウム５５質量％、亜鉛４３.４質量％、シリコン１.６質量％の典型組成を有するアルミニウム亜鉛合金めっきが施された鋼板をいう。ガルバリウム鋼板は、アルミニウム亜鉛合金めっきの表裏の表面に化成被膜、樹脂からなる塗膜を積層したものも知られている。
【００１５】
［第１あて木２０，第２あて木３０］
波板１０を畔に埋設するのに第１あて木２０または第２あて木３０を用いる。つまり、第１木槌４０を直に波板１０に打ち付けると、波板１０の縁の一部に荷重が集中してしまい、当該部分が変形するだけで、波板１０を畔に打ち込むことができない。そこで、打ち付けられた第１木槌４０または第２木槌５０による集中的な荷重を波板１０に分散して加えるために、第１あて木２０または第２あて木３０が用いられる。
【００１６】
第１あて木２０は、図２に示すように、基部２１とガイド部２５を備えている。基部２１およびガイド部２５は、一例として、木材、樹脂材料から構成され、特に打ち込みに耐えるように強靭な樹脂材料から構成されることが好ましい。
基部２１は、波板１０を畔に埋設する際に、第１木槌４０また第２木槌５０が打ち付けられる部位である。基部２１は、図１および図２に示すように平坦なオモテ面２２およびウラ面２３を有する、波板１０よりも長い板材から構成される。第１木槌４０または第２木槌５０が打ち付けられる側をオモテ面２２とし、次に説明するガイド部２５が取り付けられる側をウラ面２３とする。
【００１７】
ガイド部２５は、波板１０を畔に打ち込む際に波板１０の第１縁１３を保持し、波板１０と基部２１の相対的な位置ずれを防ぐ。
ガイド部２５は、図２に示すように、基部２１のウラ面２３に取り付けられる直方体状の部材である。ガイド部２５は、そのウラ面２６に開口するとともに長手方向Ｌに真直ぐ延びて貫通するガイド溝２７を備えている。波板１０を畔に打ち込む際に、ガイド溝２７に波板１０の第１縁１３が差し込まれることで、波板１０はガイド部２５に保持され、真直ぐな状態を維持することができる。したがって、ガイド溝２７の幅方向Ｗの寸法は、波板１０の第１縁１３が挿入できる範囲で波板１０の厚さと同等とされる。波板１０はあて木２０に対して着脱自在である。
【００１８】
［第２あて木３０］
次に、第２あて木３０は、第１あて木２０のガイド部２５と同様の直方体状の外観形状を有する部材である。ただし、第２あて木３０は、第１あて木２０よりも幅方向Ｗの寸法が小さい。これは以下の理由による。波板１０が畔に埋め込まれるまで第２あて木３０に第２木槌５０が打ち付けられると、第２あて木３０は畔にめり込む。第２あて木３０が畔にめり込むときの抵抗を小さくし、かつ、第２あて木３０を畔から取り除くときの抵抗を小さくすることが好ましいので、第２あて木３０の幅方向Ｗの寸法を小さくする。
【００１９】
［畔保護部材１を畔に埋設する手順］
次に、図３〜図６を参照して畔保護部材１を畔１００に埋設する手順を説明する。
はじめに、図３（ａ）および（ｂ）に示すように、波板１０を第１あて木２０のガイド溝２７に差し込む。このとき、第１あて木２０が基部２１およびガイド部２５の長手方向Ｌの中央に配置されるように、波板１０がガイド溝２７に差し込まれる。これで、波板１０と第１あて木２０が組み合わされた畔保護部材１が構成され、畔１００への打ち込みが可能になる。
【００２０】
次に、図４（ａ）に示すように、畔保護部材１を畔１００の必要な位置、たとえばモグラにより空けられた孔を塞ぐことができる位置に位置決めする。位置決めは、波板１０が畔１００の表面に接するように行われる。
畔保護部材１を位置決めした後に、図４（ｂ）に示すように、第１あて木２０の基部２１に第２あて木３０を打ち付ける。第２あて木３０の打ち付けは、例えば、基部２１の長手方向Ｌの一方から他方に向けて間隔をあけて行われる。一方から他方に向けた打ち付けを終えたら、今度は他方から一方に向けて同様に打ち付けを行う。以上の一方から他方に向けた打ち付けと他方から一方に向けた打ち付けを繰り返すことで、波板１０の畔１００への打ち込みが進められる。
【００２１】
次に、波板１０の畔１００への打ち込みがある程度進んだら、図５（ａ）に示すように、第１あて木２０を取り除く。第１あて木２０の代わりに、図５（ｂ）に示すように、第２あて木３０を波板１０の縁に位置合わせしてから、はじめは第１木槌４０を第２あて木３０に打ち付ける。第２あて木３０の打ち付けは、第１あて木２０のときと同様に、一方から他方に向けた打ち付けと他方から一方に向けた打ち付けを繰り返す。
【００２２】
第２あて木３０が畔１００の地中にめり込むまで第１木槌４０で打ち付けたら、図６（ａ）に示すように、打ち付けるのを大きい第２木槌５０に代える。第２木槌５０に代えてからも、これまでと同様に、一方から他方に向けた打ち付けと他方から一方に向けた打ち付けを繰り返す。第２木槌５０による打ち付けは、図６（ｂ）に示すように、第２木槌５０が畔１００の地中にその全体がめり込むまで行われ終わる。
【００２３】
第２木槌５０による打ち付けを終えると、第２あて木３０を取り除く。そうすると、畔１００の地中に埋設された波板１０の上縁は、第２あて木３０が取り除かれた空隙に臨んでいる。この空隙をそのまま放置してもよいが、好ましくはこの空間に土壌を補充して埋める。そうすれば、畔１００を通る農業従事者がこの空隙に足を取られることを防げる。
【００２４】
［畔保護部材１が奏する効果］
次に、畔保護部材１が奏する効果を説明する。
畔保護部材１において、畔１００に埋め込まれるのが波板１０であるから、畔１００に打ち込まれるときの抵抗が小さい。しかも、波板１０の打ち込みには第１あて木２０、第２あて木３０が用いられる。したがって、本実施形態にかかる畔保護部材１によれば、波板１０が畔１００に容易に埋め込まれるので、農業従事者が農作業をする際に波板１０が邪魔をすることがない。加えて、第２あて木３０を取り除いたのちにできた空隙に土壌を補充して埋めれば、農業従事者が足を取られることもない。
【００２５】
また、畔保護部材１において、当初はガイド機能を有する第１あて木２０を用いるので、波板１０を真直ぐなままで畔１００に打ち込むことができる。一方で、波板１０がある程度打ち込まれた後には、幅方向Ｗの寸法が小さい第２あて木３０を用いて波板１０の打ち込みを行うので、畔１００にめり込んだとしても取り除くときの抵抗が小さく、農業従事者の負担を軽減できる。
【００２６】
畔保護部材１を事前に畔１００に設置することで、例えばモグラが田の中に侵入するのを防ぐことができる。そうすると、モグラは活動範囲、換言すれば餌場の範囲が狭くなり、大食漢のモグラは住み心地が悪くなるので、他の土地へ移動することも想定される。
さらに、複数の畔１００を有する領域に複数の畔保護部材１を組み合わせて縦横遮断すれば、あたかも土の中に塀が張り巡らされた状態を作ることができるので、他の領域からモグラが侵入するのを阻止できる。
【００２７】
以上、本考案の好ましい実施形態に基づいて説明したが、本考案はこの実施形態に限るものではない。
例えば、以上の実施形態においては、第１あて木２０と第２あて木３０の二つのあて木を順番に用いたが、第１あて木２０を最初から最後まで用いることもできる。波板１０の打ち込みの完了後に第１あて木２０を取り除く際の抵抗が大きいが、農業従事者の腕力が強ければ抵抗が大きくても支障がないし、畔１００の土壌が軟弱であれば抵抗は小さい。
【００２８】
また、以上の実施形態においては、第１あて木２０および第２あて木３０を取り除く例を示したが、第１あて木２０または第２あて木３０をそのまま畔１００に残すこともできる。そうすれば、農業従事者は畔保護部材１を設けた位置を容易に認識できる。
【符号の説明】
【００２９】
１      畔保護部材
１０    波板
１３    第１縁
１５    第２縁
２０    第１あて木
２１    基部
２２    オモテ面
２３    ウラ面
２５    ガイド部
２６    ウラ面
２７    ガイド溝
３０    第２あて木
４０    第１木槌
５０    第２木槌
１００  畔
【図１】
0003223873.tif 000003
【図２】
0003223873.tif 000004
【図３】
0003223873.tif 000005
【図４】
0003223873.tif 000006
【図５】
0003223873.tif 000007
【図６】
0003223873.tif 000008